(57)【要約】【課題】大口径レンズ鏡筒や大サイズの撮像素子ユニットを比較的小型の筐体に収納した撮像装置の実現。【解決手段】撮像装置の筐体は、少なくとも筐体前面を形成するとともに鏡筒配置孔が形成されたフロントケースと、フロントケースと接合されて撮像装置の筐体の一部を形成するリアケースを含んで構成される。レンズ機構を備える鏡筒は、内部にレンズ機構を備える鏡筒本体、及び該鏡筒本体より短径とされた前鏡筒端部を有する前部鏡筒と、撮像素子ユニット取付部を有する後部鏡筒とで形成する。そして前部鏡筒は、その前鏡筒端部がフロントケースの前面側から鏡筒配置孔を通過している状態で、フロントケースに装着する。後部鏡筒は、鏡筒配置孔を通過した状態の前鏡筒端部に対して、フロントケースの背面側から取り付ける。【選択図】図４
2015213202.tif 000002
【特許請求の範囲】
【請求項１】
少なくとも筐体前面を形成するとともに、上記筐体前面に鏡筒配置孔が形成されたフロントケースと、
上記フロントケースと接合されて筐体の一部を形成するリアケースと、
内部にレンズ機構を備える鏡筒本体、及び該鏡筒本体より短径とされた前鏡筒端部を有し、上記前鏡筒端部が上記フロントケースの前面側から上記鏡筒配置孔を通過した状態で配置された前部鏡筒と
撮像素子ユニット取付部を有するとともに、上記鏡筒配置孔を通過して配置された状態の上記前鏡筒端部に対して、上記フロントケースの背面側から取り付けられた後部鏡筒と、
上記撮像素子ユニット取付部に取り付けられた撮像素子ユニットと、
を備えた撮像装置。
【請求項２】
上記後部鏡筒は、取付姿勢の状態で上記鏡筒配置孔を挿通できないサイズ又は形状とされている請求項１に記載の撮像装置。
【請求項３】
上記フロントケースの上記鏡筒配置孔の周縁部は、フロントケース前平面より背面側に段下がりしたリング状の前鏡筒固定部とされており、
上記鏡筒本体は、上記鏡筒配置孔を挿通せずに上記鏡筒固定部に固定される請求項１に記載の撮像装置。
【請求項４】
上記後部鏡筒と上記フロントケース内面の間隙空間に、部品が配置されている請求項１に記載の撮像装置。
【請求項５】
少なくとも筐体前面を形成するとともに、上記筐体前面に鏡筒配置孔が形成されたフロントケースと、上記フロントケースと接合されて筐体の一部を形成するリアケースを有する撮像装置の製造方法として、
内部にレンズ機構を備える鏡筒本体、及び該鏡筒本体より短径とされた前鏡筒端部を有する前部鏡筒を、上記前鏡筒端部が上記フロントケースの前面側から上記鏡筒配置孔を通過している状態で、上記フロントケースに装着する工程と、
上記鏡筒配置孔を通過した状態の上記前鏡筒端部に対して、上記フロントケースの背面側から、撮像素子ユニット取付部を有する後部鏡筒を取り付ける工程と、
を備えた撮像装置の製造方法。
【発明の詳細な説明】
【技術分野】
【０００１】
本開示は撮像装置及びその製造方法に関する。
【先行技術文献】
【特許文献】
【０００２】
【特許文献１】特開２００９−１３０１７８号公報
【背景技術】
【０００３】
例えばデジタルスチルカメラでは、レンズ交換式のカメラと、レンズ交換不可能なカメラがある。いわゆるコンパクトカメラと呼ばれる小型カメラではレンズ交換不可能なタイプが一般的である。
なお上記特許文献１では、デジタルスチルカメラの組み立て方法が開示されている。
【発明の概要】
【発明が解決しようとする課題】
【０００４】
ところで、レンズ交換が不可能なコンパクトカメラの分野でも、撮像画像品質の向上、多様な撮像機能は要望されている。そのためには、ＣＣＤ（Charge Coupled Device）センサ、ＣＭＯＳ（Complementary Metal Oxide Semiconductor）センサ等の撮像素子（イメージャ）としての高性能部品の採用、レンズの大口径化、沈胴繰り出しレンズの採用なども行われる。
ところがこれらの高性能化のための設計に応じて、レンズ鏡筒の大型化やイメージャの大型化（高画素数の大判イメージャの採用）などが余儀なくされる。また大口径レンズ鏡筒を別部品としてカメラ筐体に取り付けるために、筐体前面に設ける鏡筒配置孔も大型化をする必要が生じ、ひいては筐体が大型化してしまう。
すると、コンパクトカメラとしての本来の利点である小型筐体という点が阻害されてしまう。
【０００５】
そこで本開示は、レンズ交換不可能な例えばコンパクトカメラの範疇の撮像装置に好適なように、大口径レンズと大判イメージャを、小型・薄型の筐体に納めることができるようにすることを目的とする。
【課題を解決するための手段】
【０００６】
本開示の撮像装置は、少なくとも筐体前面を形成するとともに、上記筐体前面に鏡筒配置孔が形成されたフロントケースと、上記フロントケースと接合されて筐体の一部を形成するリアケースと、内部にレンズ機構を備える鏡筒本体、及び該鏡筒本体より短径とされた前鏡筒端部を有し、上記前鏡筒端部が上記フロントケースの前面側から上記鏡筒配置孔を通過した状態で配置された前部鏡筒と、撮像素子ユニット取付部を有するとともに、上記鏡筒配置孔を通過して配置された状態の上記前鏡筒端部に対して、上記フロントケースの背面側から取り付けられた後部鏡筒と、上記撮像素子ユニット取付部に取り付けられた撮像素子ユニットとを備える。
またこの場合に、上記後部鏡筒は、取付姿勢の状態で上記鏡筒配置孔を挿通できないサイズ又は形状とされている。
また上記フロントケースの上記鏡筒配置孔の周縁部は、フロントケース前平面より背面側に段下がりしたリング状の前鏡筒固定部とされており、上記鏡筒本体は、上記鏡筒配置孔を挿通せずに上記鏡筒固定部に固定される。
また上記後部鏡筒と上記フロントケース内面の間隙空間に、部品が配置されている。
【０００７】
本開示の撮像装置の製造方法は、少なくとも筐体前面を形成するとともに、上記筐体前面に鏡筒配置孔が形成されたフロントケースと、上記フロントケースと接合されて筐体の一部を形成するリアケースを有する撮像装置の製造方法である。そして、内部にレンズ機構を備える鏡筒本体、及び該鏡筒本体より短径とされた前鏡筒端部を有する前部鏡筒を、上記前鏡筒端部が上記フロントケースの前面側から上記鏡筒配置孔を通過している状態で、上記フロントケースに装着する工程と、上記鏡筒配置孔を通過した状態の上記前鏡筒端部に対して、上記フロントケースの背面側から、撮像素子ユニット取付部を有する後部鏡筒を取り付ける工程とを備える。
【０００８】
このような本開示の技術では、レンズ機構を備える鏡筒としては、前部鏡筒と後部鏡筒を別体部品とし、これらを接合して鏡筒を構成する。前部鏡筒は内部にレンズ機構を備える鏡筒本体と、その鏡筒本体より短径とされた前鏡筒端部を有するものとするが、この前鏡筒端部が、フロントケースの鏡筒配置孔を前面側から通過した位置に配置されるように、前部鏡筒をフロントケースに取り付ける。従って少なくとも前鏡筒端部は、フロントケースの鏡筒配置孔を通過可能な形状又はサイズとされるが、鏡筒本体は、通過可能な形状又はサイズとされる必要はない。鏡筒本体はフロントケースの前面に配置可能であれば良い。
また、フロントケースの鏡筒配置孔を前面側から通過した位置に配置される前鏡筒端部に対しては、フロントケースの背面側から、後部鏡筒を取り付けるようにする。これにより、前部鏡筒と後部鏡筒を有する鏡筒が、フロントケースに取り付けられた状態とすることができる。つまり、レンズ鏡筒を前部鏡筒と後部鏡筒で構成し、前部鏡筒と後部鏡筒をフロントケースを挟み込むかたちで組み込むようにする。
結果として後部鏡筒は、フロントケースの鏡筒配置孔を通過可能なサイズ又は形状とする必要はない。ここで、この後部鏡筒は撮像素子ユニット取付部を有し、撮像素子ユニットを固定する機能を持つ。つまりは、撮像素子ユニットとして、いわゆる大判イメージャを用いることとしても、撮像素子ユニット（撮像素子ユニット取付部を有する後部鏡筒）は、フロントケースの鏡筒配置孔を通過するサイズである必要はない。従ってフロントケースのサイズや鏡筒配置孔のサイズが、イメージャサイズの都合で大型化される必要はなくなる。
【発明の効果】
【０００９】
本開示によれば、撮像装置筐体の小型・薄型という利点を阻害せずに、大口径レンズを有する大型の鏡筒や、大判イメージャを採用することができ、例えばコンパクトタイプの撮像装置の高性能化を促進できる。
【図面の簡単な説明】
【００１０】
【図１】本開示の実施の形態の撮像装置の前面側からみた斜視図である。
【図２】実施の形態の撮像装置の背面側からみた斜視図である。
【図３】実施の形態の撮像装置のフロントケース及びレンズ鏡筒部分の分解斜視図である。
【図４】実施の形態のレンズ鏡筒の装着状態の説明図である。
【図５】実施の形態の鏡筒取り付け工程の説明図である。
【図６】実施の形態の鏡筒取り付け工程の説明図である。
【図７】比較のための構造の説明図である。
【発明を実施するための形態】
【００１１】
以下、実施の形態の撮像装置及びその製造工程を次の順序で説明する。
＜１．撮像装置の構成＞
＜２．鏡筒取り付け手順＞
＜３．実施の形態のまとめ及び変形例＞
【００１２】
＜１．撮像装置の構成＞
実施の形態の撮像装置１として、コンパクトタイプでレンズ交換不能型のデジタルスチルカメラを例に挙げる。
図１は撮像装置１の外観として、前面側から見た斜視図、図２は背面側からみた斜視図である。なお本明細書で「前面」又は「前面側」とは撮像装置筐体のレンズ鏡筒が取り付けられる面側をいい、「背面」又は「背面側」とは、図２の表示部１０が設けられる面側をいうこととする。
【００１３】
図１，図２に示すように、撮像装置１の筐体は、フロントケース２とリアケース３が接合されて形成される。フロントケースは主に筐体前面側を形成し、リアケース３は主に筐体背面側を形成する。
フロントケース２の前面側には、鏡筒本体４ａがフロントケース２の前面平面より前方に突出する状態で前部鏡筒４が配置される。前部鏡筒４は、後述する図３に示す後部鏡筒１１と接合されてレンズ鏡筒を構成する。
図示していないが、この前部鏡筒４の筐体本体４ａ内には、レンズ機構が内蔵され、後述するイメージャへ入射光を導く撮像光学系が形成されている。なおレンズ機構とは、ズームレンズ、フォーカスレンズ、集光レンズ、或いは複合機能レンズなどの１又は複数のレンズや、絞り機構、及びそれらの駆動系などの総称としている。
【００１４】
筐体上面（図の例ではフロントケース２の上面）には、シャッタボタン５や、ダイヤル操作子６，７が設けられている。また図２に示すように筐体背面（リアケース３）には、キー８、十時キー９等の操作子が設けられている。これらの操作子（５〜９）により、ユーザは撮像や撮像画像の再生のための各種操作を行うことができる。
また筐体背面（リアケース３）には、方形の開口が形成されており、当該開口に対して表示パネル１０が取り付けられている。表示パネル１０としては液晶パネルや有機ＥＬ（Electroluminescence）パネルなどの薄型表示デバイスが用いられる。
この表示パネル１０には、撮像装置１が静止画や動画の撮像を行うための撮像モードとされている状態では、撮像スタンバイの際のスルー画（被写体探索のためのモニタ動画）や、レリーズの際の撮像記録を行った撮像静止画、或いは撮像記録中の動画が表示される。また撮像装置１が、記録した画像を再生する再生モードとされている際には、サムネイル画像によるリスト表示、再生静止画、再生動画などが表示される。また撮像ガイド、状態表示、メッセージ等のためのアイコン、文字などの表示も行われる。
【００１５】
このような撮像装置１において、主にレンズ鏡筒とフロントケース２の関係を示した分解斜視図を図３に示している。
本実施の形態の撮像装置１は、レンズ鏡筒が、前部鏡筒４と後部鏡筒１１が接合されて形成される構造を採っている。
【００１６】
前部鏡筒４は、その鏡筒本体４ａに対して、フランジ状の前鏡筒端部３０が一体的に形成されている。このフランジ状の前鏡筒端部３０の最大径は、鏡筒本体４ａの直径よりも小さいものとされている。そして、この前鏡筒端部３０には後部鏡筒１１を接合するためのネジ孔３１が所要箇所（例えばこの図では４カ所）に設けられている。
また鏡筒本体４ａの後端面２０には、前部鏡筒４自体をフロントケース２に取り付けるためのネジ孔２１が所要箇所（例えば４カ所）に設けられている。
【００１７】
後部鏡筒１１は、例えば概略的には方形の板状体とされており、その背面側には、撮像素子ユニット取付部１１ａが形成されている。撮像素子ユニット取付部１１ａは板状体背面側の周囲が側壁によって囲まれた凹状部分とされており、図示する撮像素子ユニット取付部ユニット１２が、その撮像素子ユニット取付部１１ａとしての凹状部分に嵌め込まれる形で取り付けられる。
この撮像素子ユニット取付部１１ａとしての凹状部分には開口部１１ｂが形成されている。図３では図示されないが、撮像素子ユニット１２は、基板前面側にイメージャが配置されており、撮像素子ユニット１２が撮像素子ユニット取付部１１ａに取り付けられた状態では、イメージャが開口部１１ｂから前方に臨む状態となり、鏡筒本体４ａ内のレンズ機構の光学系によって導かれた入射光をイメージャが受光できるようにされている。
【００１８】
後部鏡筒１１には、上述の前鏡筒端部３０のネジ孔３１に対応する４カ所の位置に、ネジ孔３２が形成されている。後部鏡筒１１が前鏡筒端部３０と当接された状態で、後部鏡筒１１のネジ孔３２と、前鏡筒端部３０のネジ孔３１に対して、ネジ３３が螺合されることで、後部鏡筒１１が前部鏡筒４に対して接合される。
【００１９】
撮像素子ユニット１２は、板状の基板にイメージャ及び周辺回路をマウントしたものである。図示のように例えば基板背面には撮像信号処理回路やイメージャ動作の制御回路を形成する半導体チップ及び配線等が形成されている。図示されない基板前面側には上述のようにイメージャ（ＣＭＯＳセンサチップやＣＣＤセンサチップ）がマウントされている。
また撮像素子ユニット１２には後部鏡筒１１に取付のためのネジ孔４２が所要箇所（例えば３カ所）に設けられている。これに対応して後部鏡筒１１にも例えば３カ所のネジ孔４１が形成されている。
【００２０】
フロントケース２には、その前面平面の略中央に鏡筒配置孔２ａが形成されている。鏡筒配置孔２ａは前部鏡筒４の前鏡筒端部３０が通過可能な径の円形とされている。
また鏡筒配置孔２ａの周縁部にはリング状の前鏡筒固定部２ｂが形成されている。この前鏡筒固定部２ｂには、上述の後端面２０のネジ孔２１に対応する各位置に、ネジ孔２２が形成されている。前部鏡筒４の後端面２０が、フロントケース２の前鏡筒固定部２ｂの前面側に当接された状態で、ネジ孔２２とネジ孔２１に対して、ネジ２３が螺合されることで、前部鏡筒４がフロントケース２に固定されることとなる。
【００２１】
図４Ａは、フロントケース２及びリアケース３を有する筐体に対して、レンズ鏡筒及びイメージャが取り付けられた状態を示している。
前部鏡筒４は、その前鏡筒端部３０が、フロントケース２の鏡筒配置孔２ａよりも筐体内面側に位置する。
一方、前部鏡筒４の鏡筒本体４ａは、鏡筒配置孔２ａよりも前面、つまりカメラ筐体の外部に位置する状態となる。
前部鏡筒４は、その後端面２０が、リング状の前鏡筒固定部２ｂに当接される。この前鏡筒固定部２ｂは、フロントケース２の鏡筒配置孔２ａの周縁部が、フロントケース前面平面より背面側に段下がりした（背面側に落とし込まれた）リング状の部位として形成されている。この段下がりの部分の直径は、鏡筒本体４ａの後端面２０部分の直径よりわずかに大きく、図示のように鏡筒本体４ａが嵌まり込んで後端面２０が前鏡筒固定部２ｂに当接するように設計されている。
この状態で、ネジ孔２２とネジ孔２１が対応して位置することとなり、ネジ２３によって前部鏡筒４がフロントケース２に取り付けられる。
【００２２】
また、筐体内部に入り込んだ状態の前鏡筒端部３０に対しては、後部鏡筒１１が当接され、図示のようにネジ孔３１，ネジ孔３２が対応位置にある状態でネジ３３が螺合される。これにより、後部鏡筒１１が、前部鏡筒４に対して固定装着されることとなる。
さらに、後部鏡筒１１に対しては、その撮像素子ユニット取付部１１に撮像素子ユニット１２が嵌め込まれ、ネジ孔４１，４２にネジ４３が螺合されることで、撮像素子ユニットが後部鏡筒１１に固定装着される。なお、図４Ａでは図示の都合上、開口部１１ｂは省略している。
【００２３】
図４Ｂは、フロントケース２の鏡筒配置孔２ａ、前鏡筒固定部２ｂと、後部鏡筒１１に固定保持される撮像素子ユニット１２のサイズ及び位置関係を、前方から投影した状態の模式図で示している。
図からわかるように、撮像素子ユニット１２及びそれを保持する後部鏡筒１１は、取付姿勢の状態で鏡筒配置孔２ａを挿通できないサイズ、形状とされている。換言すればこのことは、撮像素子ユニット１２（撮像素子ユニット１２にマウントされるイメージャ）は、フロントケース２の鏡筒配置孔２ａを通過できないサイズ又は形状とされることを妨げないということである。
【００２４】
＜２．鏡筒取り付け手順＞
以上の構造において、フロントケース２にレンズ鏡筒を取り付けるための手順を説明する。
まず図５Ａは、フロントケース２及びリアケース３により形成される筐体の断面を概略的に示している。最終的にはこのようにフロントケース２とリアケース３が接合されるが、以下に述べるレンズ鏡筒取付時点では、まだリアケースは接合されていない。
【００２５】
図５Ｂは、フロントケース２に対して前部鏡筒４を取り付ける工程を示している。
この図５Ｂの状態は、前部鏡筒４の前鏡筒端部３０を、前面側からフロントケース２の鏡筒配置孔２ａを通過させるようにすることで得られる。即ち前部鏡筒４を前面側からフロントケース２にあてがえばよい。
このように前鏡筒端部３０がフロントケース２の前面側から鏡筒配置孔２ａを通過している状態では、前部鏡筒４の後端面２０が前鏡筒固定部２ｂに嵌入して当接する。この状態で、ネジ孔２１，２２の位置合わせが行われ、ネジ２３によって前部鏡筒４がフロントケース２に取り付けられる。
【００２６】
続いて図６Ａは、鏡筒配置孔２ａを通過した状態の前鏡筒端部３０に対して、フロントケース２の背面側から、撮像素子ユニット取付部１１ａを有する後部鏡筒１１を取り付ける工程を示している。
リアケース３とフロントケース２が接合されていない状態では、フロントケース２の背面側に前鏡筒端部３０が突出する状態となっている。この前鏡筒端部３０に対して後部鏡筒１１を当てがい、ネジ孔３１，３２の位置を合わせる。そしてネジ３３を用いて後部鏡筒１１を前部鏡筒４に固定する。これが図６Ａの状態である。
図６Ｂは、さらに撮像素子ユニット１２を取り付けた状態を示している。
後部鏡筒１１の撮像素子ユニット取付部１１ａに対して撮像素子ユニット１２をはめ込む。この状態でネジ孔４１とネジ孔４２が対応して位置することとなり、ネジ４３によって螺合することで、撮像素子ユニット１２が後部鏡筒１１に固定装着される。
【００２７】
以上の工程で、フロントケース２に対して、レンズ鏡筒（前部鏡筒４及び後部鏡筒１１）及びイメージャ（撮像素子ユニット１２）が取り付けられたことになる。
この工程に加えて、フロントケース２及びリアケース３への各種部品（回路基板、操作子部品、表示デバイス、配線材、バッテリー収納部、カードメディア等のドライブ等）の設置、フロントケース２とリアケース３の接合などが行われることで、実施の形態の撮像装置１としての構造体が製造される。
【００２８】
＜３．実施の形態のまとめ及び変形例＞
以上の実施の形態の撮像装置１は、例えばコンパクトデジタルカメラとしての大きな利点であるところの筐体の小型・薄型を阻害せずに、大口径レンズを有する大型の鏡筒や、大判イメージャを採用することができ、撮像装置の高性能化を促進できるものである。この点について説明する。
【００２９】
本実施の形態の場合、レンズ機構を備えるレンズ鏡筒は、前部鏡筒４と後部鏡筒１１を別体部品とし、これらを接合して鏡筒全体を構成する。
通常、レンズ交換式ではないコンパクトデジタルカメラの場合、レンズユニットの後端面にイメージャが取り付けられ、そのようなレンズユニットがフロントケースのレンズ取付孔から嵌装されている。
一般にコンパクトデジタルカメラの場合、ユーザニーズとしては、撮像画像の画質的な品質や光学性能よりも、手軽な撮像や携帯性が重視されており、搭載されるレンズユニットやイメージャとしても、いわゆるプロフェッショナルユースレベルのものは求められていない。そのためレンズ口径も比較的小さく、イメージャとしても画素数及び受光面サイズとしても、大きなもの（いわゆる大判イメージャ）はあまり用いられない。
そのような事情により、フロントケースに設けるレンズユニット孔（本実施の形態の鏡筒配置孔２ａに相当）としては、あまり大きな径は必要なく、それによって筐体の小型化も可能であった。
【００３０】
しかし近年、コンパクトデジタルカメラとしての携帯性、機動性を重視しつつ、撮像画像の向上が求められるケースも多々生じている。例えば一般ユーザの撮像画質への要求の高まりや、プロカメラマンが機動性のあるサブカメラとしてコンパクトデジタルカメラを使用したいという要望などが発生しているためである。これによって、大口径レンズや大判イメージャをコンパクトデジタルカメラとしての筐体に装着することの必要性が生じている。ところが、その場合、筐体前面のレンズユニット孔の径を大幅に広げなければならない。
図７に模式的に示すように、取付不可能なレンズユニット２００を筐体２００の前面に取り付けることを考える。この場合、レンズユニット２００としては、大口径のレンズを収納した鏡筒を想定する。そしてレンズユニット２００の後端部にはイメージャユニット２０２が固定されている。
このようなレンズユニット２００を筐体前面に装着するには、イメージャユニット２０２の部分が前方からレンズユニット孔２０１ａを通過して筐体内面に位置するようにする。その状態でレンズユニット２００を筐体２００に固定する。このためには、レンズユニット孔２０１ａの径は、イメージャユニット２０２（イメージャを含む鏡筒後端部分）が通過可能な径とされなければならない。
すると、大判イメージャを採用すると、それだけ鏡筒後端部の平面サイズが大きくなり、レンズユニット孔２０１ａとしては直径を広くしなければならない。レンズユニット孔２０１ａの大径化は、筐体前面の面積拡大につながり、コンパクトデジタルカメラの小型筐体という利点が消失する方向となる。
また逆の見方として、小型筐体を維持するのであれば、レンズユニット孔２０１ａの直径の拡大を制限し、それによって採用できるイメージャサイズが制限され、結果的に画質的な高性能化が図れないということとなる。
【００３１】
これに対して本実施の形態では、レンズ鏡筒は前部鏡筒４と後部鏡筒１１が別体部品であり、上述のように前部鏡筒４と後部鏡筒１１がフロントケース２を挟み込むかたちで接合され、筐体に組み込まれる。
これは大判イメージャの採用のために平面サイズが大きくならざるを得ない鏡筒の後端部分（後部鏡筒１１）が、組み込み時に鏡筒配置孔２ａを通過する必要がなくなることを意味する。あくまでも、前部鏡筒４の前鏡筒端部３０が、フロントケース２の鏡筒配置孔２ａを通過できればよい。
結果として、大判イメージャの採用が可能となる。
また、鏡筒本体４ａはフロントケース２の前面に固定配置されればよいため、フロントケース２の前面平面の面積を最大限利用して大口径化できる。或いは極端にいえば、フロントケース２の前面平面サイズを超えて大口径化してもよい。例えば鏡筒の直径が、フロントケース２の縦サイズを越えるような設計も不可能ではない。
即ち大口径レンズの採用に好適である。
【００３２】
以上のことから、本実施の形態の撮像装置１の構造、及び上述の製造方法は、光学性能、撮像画質等の面で、高性能化したカメラを、コンパクトデジタルカメラの範疇の小型筐体で提供することを可能とするものとなる。
これによって例えば、より多くのシーンで精細な画像を撮像することができ、プログラムカメラマンの機動力の向上や、アマチュアカメラマンでも手軽な高画質撮像を行うことが可能となる。
【００３３】
また本実施の形態では、後部鏡筒１１は、前部鏡筒４に対して固定される。つまりフロントケースに取り付けられるわけではない。
もしフロントケース２に対して前部鏡筒４と後部鏡筒１１がそれぞれ取り付けられるのであれば、前部鏡筒４と後部鏡筒１１の光軸位置や回転方向位置などの位置精度の維持が困難となる。ところが後部鏡筒１１が前部鏡筒４に直接接合されることで、位置精度の維持が容易となり、ひいては光学性能の向上にも適切な接合構造となる。
また本実施の形態の構造によれば、フランジバックの短縮が可能でＦ値を低くでき、光学性能を向上させることもできる。
【００３４】
また本実施の形態において、前部鏡筒４と後部鏡筒１１が別体であることは、本体筐体の薄型化にも寄与する。
図４Ａ，図５Ｂ，図６Ａ，図６Ｂの各図には、二点鎖線により、後部鏡筒１１とフロントケース２の内面の間隙空間１００を示した。本実施の形態の撮像装置１は、この間隙空間１００に、各種の部品（基板その他）を配置することができる。
これは後部鏡筒１１が鏡筒配置孔２ａを通過させる必要がないためである。当該間隙空間１００に部品が配置されていても、前部鏡筒４を装着する際（図５Ｂの時点）で邪魔とはならない。また、その後の図６Ａ、図６Ｂの時点で、間隙空間１００に装着されている部品が、後部鏡筒１１の取付配置に邪魔になることはない。
従って、間隙空間１００を用いて、筐体内部空間を有効利用した部品配置が可能となり、部品配置のために筐体の厚みサイズを大きくする必要性を下げることができる。これにより、本実施の形態の撮像装置１は、薄型設計にも適したものとなる。特に、イメージャ大判化を進めた場合、間隙空間１００の容積も大きくなる。この間隙空間１００に部品配置することは、小型化、薄型化を阻害しないという点で非常に好適である。
【００３５】
また本実施の形態では、前部鏡筒４の鏡筒本体４ａはフロントケース２の鏡筒配置孔２ａを通過せずに、後端面２０が前鏡筒固定部２ｂに当接して取り付けられる。そしてこの前鏡筒固定部２ｂは、フロントケース前平面より背面側に段下がりしたリング状の部位として形成されている。このことは、レンズ鏡筒を含めた全体の前後方向のサイズの短縮をもたらす。レンズ鏡筒の光軸方向のサイズが長くなった場合、特に好適である。
また製造時は、前部鏡筒４の後端面２０を前鏡筒固定部２ｂに当接するように装着すればフロントケース２に対するレンズ鏡筒正面位置を規定でき、組み付け精度維持や作業効率の点で好適となる。
【００３６】
また本実施の形態では、フロントケース２への前部鏡筒４の取付、前部鏡筒４への後部鏡筒１１の取付はフロントケース２内面側から行い、外観上、ネジ頭やねじ穴等は表出しない。このためネジ隠し等の部品も不要で、かつデザイン性も良い。
【００３７】
なお、上述の製造工程の説明では、ネジ２３，３３，４３を用いて各部を接合する構造としたが、もちろんネジではなく、接着、或いは係止部、被係止部を用いた機械的嵌合など、他の手法で取付を行うものでもよい。
またネジを用いる場合の例として、図６Ａのよう後部鏡筒１１を前部鏡筒４に接合した後、図６Ｂのように後部鏡筒１１に撮像素子ユニット１２を取り付けるものとしたが、接合手法や構造によっては、先に撮像素子ユニット１２を後部鏡筒１１に取り付けておき、その後部鏡筒１１を前部鏡筒４に取り付けるような工程手順も可能である。
【００３８】
なお本開示の技術は以下のような構成も採ることができる。
（１）少なくとも筐体前面を形成するとともに、上記筐体前面に鏡筒配置孔が形成されたフロントケースと、
上記フロントケースと接合されて筐体の一部を形成するリアケースと、
内部にレンズ機構を備える鏡筒本体、及び該鏡筒本体より短径とされた前鏡筒端部を有し、上記前鏡筒端部が上記フロントケースの前面側から上記鏡筒配置孔を通過した状態で配置された前部鏡筒と
撮像素子ユニット取付部を有するとともに、上記鏡筒配置孔を通過して配置された状態の上記前鏡筒端部に対して、上記フロントケースの背面側から取り付けられた後部鏡筒と、
上記撮像素子ユニット取付部に取り付けられた撮像素子ユニットと、
を備えた撮像装置。
（２）上記後部鏡筒は、取付姿勢の状態で上記鏡筒配置孔を挿通できないサイズ又は形状とされている上記（１）に記載の撮像装置。
（３）上記フロントケースの上記鏡筒配置孔の周縁部は、フロントケース前平面より背面側に段下がりしたリング状の前鏡筒固定部とされており、
上記鏡筒本体は、上記鏡筒配置孔を挿通せずに上記鏡筒固定部に固定される上記（１）又は（２）に記載の撮像装置。
（４）上記後部鏡筒と上記フロントケース内面の間隙空間に、部品が配置されている上記（１）乃至（３）のいずれかに記載の撮像装置。
【符号の説明】
【００３９】
１  撮像装置、２  フロントケース、２ａ  鏡筒配置孔、２ｂ  前鏡筒固定部、３  リアケース、４  前部鏡筒、４ａ  鏡筒本体、１１  後部鏡筒、１１ａ  撮像素子ユニット取付部、１２  撮像素子ユニット、２０  後端面、３０  前鏡筒端部
【図１】
2015213202.tif 000003
【図２】
2015213202.tif 000004
【図３】
2015213202.tif 000005
【図４】
2015213202.tif 000006
【図５】
2015213202.tif 000007
【図６】
2015213202.tif 000008
【図７】
2015213202.tif 000009